(57)【要約】      （修正有）【課題】既存の柱等を補強するときに用いる補強用の縦筋をしっかりと保持する止め具を提供する。【解決手段】本体ａは、柱や梁等の既存の建造物に固定する固定片１と、この固定片に固定した支持片２とを備え、支持片２には、締付部７と補強用鉄筋を保持するための保持部６とを備えた掛止め部材ｆを設け、そして、固定片１を建造物に固定するとともに、建造物に沿って設ける補強用の縦筋８を掛止め部材ｆの保持部６に保持させて締付部７を締め付け、補強用の縦筋８を保持する。【選択図】図２
2015161137.tif 000002
【特許請求の範囲】
【請求項１】
本体は、建造物側に固定する固定片と、この固定片に固定した支持片とを備え、
上記固定片には、ボルト等の止め部材を通す取付け孔を形成し、
上記支持片には、締付部と補強用の縦筋を保持するための保持部とを備えた掛止め部材を設け、
上記固定片を建造物側に固定するとともに、建造物に沿って設ける補強用の縦筋を上記掛止め部材の保持部に保持させて締付部を締め付け、上記補強用の縦筋を保持する補強用鉄筋の止め具。
【請求項２】
上記掛止め部材の保持部を鉤状にするとともに、この鉤状にした保持部で補強用の縦筋を保持する請求項１に記載した補強用鉄筋の止め具。
【請求項３】
上記掛止め部材は、Ｕ字状にした鉤状の保持部を備え、このＵ字状にした保持部の両先端部分にネジを形成し、このネジにナットをはめ、これらネジとナットとが相まって上記締付部を構成する請求項２に記載した補強用鉄筋の止め具。
【請求項４】
上記掛止め部材は、フック状にした鉤状の保持部を備え、このフック状にした保持部の先端部分にネジを形成し、このネジにナットをはめ、これらネジとナットとが相まって上記締付部を構成する請求項２に記載した補強用鉄筋の止め具。  
【請求項５】
上記本体には、その固定片を既存の建造物側に固定したとき、上記保持部の下方位置に、縦筋の下端を受ける受け片を設けた請求項１〜４のいずれか１に記載した補強用鉄筋の止め具。
【発明の詳細な説明】
【技術分野】
【０００１】
この発明は、既存の柱等の建造物を補強するための補強用鉄筋の止め具に関する。
【背景技術】
【０００２】
例えば、既存の柱を補強する方法として、柱の周囲やその一面を補強用鋼板で囲むとともに、その柱と補強用鋼板との間にグラウト材を充填するものが知られている。このような補強方法においては、上記グラウト材を充填する前に、柱と補強用鋼板との間に補強用の縦筋を配置しておき、充填した上記グラウト材中に縦筋を埋設して補強効果を上げるようにしている。
【０００３】
そして、補強用の縦筋を配置するときには、既存の柱にあらかじめアンカーボルトを打ち込んでおき、このアンカーボルトに補強用の縦筋をワイヤー等で結束して、上記縦筋を一時的に固定していた。
【先行技術文献】
【特許文献】
【０００４】
【特許文献１】特開２０１３−０８３０６３号公報
【発明の概要】
【発明が解決しようとする課題】
【０００５】
上記のように補強用の縦筋をアンカーボルトにワイヤーで結束する方法では、それがしっかり結束されるか否かが、作業者の技量に依存せざるを得ない。
そのために、作業者によっては、結束力が弱くなったり、あるいは結束のやり方が間違っていたりして、補強用の縦筋をしっかりと保持できないということがあった。もし、補強用の縦筋をしっかりと保持できていなければ、縦筋が、その重さで滑り落ちてしまうおそれがある。
【０００６】
しかも、既存の建造物の柱によっては、当該建物の外側にむき出しにされていることがある。このむき出しの柱を補強するときには、その外側面に縦筋を配置することになる。このような状況で、縦筋がその重さで滑り落ちたりすれば、その落下地点の人などに当たる可能性が高くなる。もし、上記縦筋が人に当たったりすれば、重大事故につながる危険がある。
【０００７】
また、上記縦筋が落下すれば、たとえ人がいなくても、既存の建造物を破損したり、損傷したりする危険性もある。
しかし、従来のように縦筋をアンカーボルトに結束するやり方では、上記危険を完全に回避できないという問題があった。
【０００８】
上記の問題を解決する手段として、例えば、溶接によって縦筋をアンカーボルトに固定する方法が考えられる。しかし、補強を必要とする既存の建造物の中には、火気厳禁という環境が多くあるために、火花を散らす溶接は使えないことがあるという問題があった。
【０００９】
この発明の目的は、火気を一切使わずに、しかも大きな締結力が得られる補強用鉄筋の止め具を提供することである。
【課題を解決するための手段】
【００１０】
第１の発明は、その本体が、建造物側に固定する固定片と、この固定片に固定した支持片とを備えている。また、上記固定片には、ボルト等の止め部材を通す取付け孔を形成し、上記支持片には、締付部と補強用鉄筋を保持するための保持部とを備えた掛止め部材を設けている。そして、上記固定片を建造物側に固定するとともに、建造物に沿って設ける補強用の縦筋を上記掛止め部材の保持部に保持させて締付部を締め付け、上記補強用の縦筋を固定的に保持する点に特徴を有する。
なお、上記建造物は、いわゆる建物や橋梁などを含むもので、縦筋を用いる補強対象物のすべてを含むものである。
また、上記保持部は、１本の縦筋を保持するのに適したものでもよいし、複数本の縦筋を一括して保持できる大きさを備えたものでもよい。
【００１１】
第２の発明は、上記掛止め部材の保持部を鉤状にするとともに、この鉤状にした保持部で補強用の縦筋を保持する点に特徴を有する。
上記鉤状の保持部とは、例えばＵ字状のもの、あるいはフック状のものの両者を含む概念である。
【００１２】
第３の発明は、上記掛止め部材が、Ｕ字状にした鉤状の保持部を備え、このＵ字状にした保持部の両先端部分にネジを形成し、このネジにナットをはめ、これらネジとナットとが相まって上記締付部を構成する点に特徴を有する。
【００１３】
第４の発明は、上記掛止め部材が、フック状にした鉤状の保持部を備え、このフック状にした保持部の先端部分にネジを形成し、このネジにナットをはめ、これらネジとナットとが相まって上記締付部を構成する点に特徴を有する。  
【００１４】
第５の発明は、上記本体であって、その固定片を既存の建造物に固定したとき、上記保持部の下方位置に、縦筋の下端を受ける受け片を設けた点に特徴を有する。
【発明の効果】
【００１５】
第１の発明の補強用鉄筋の止め具によれば、固定片を既存の建造物の柱等に固定するとともに、支持片に設けた掛止め部材の保持部に補強用の縦筋を保持させながら、その保持部を締付部で締め付けることによって、この保持部によって縦筋を固定的に強い力で保持することができる。このように締付部を締め付けるだけで、縦筋を強い力で保持できるので、溶接による火花も飛び散らないし、作業者の技量に応じて、縦筋とアンカーボルトとを保持する保持力が異なったりしない。したがって、作業者の技量に関係なく、縦筋を安全に固定できる。
【００１６】
第２の発明の補強用鉄筋の止め具によれば、鉤状にした保持部に縦筋を保持させてから、締付部を締め付けることによって、縦筋を強い力で保持できる。
【００１７】
第３及び第４の発明の補強用鉄筋の止め具によれば、鉤状にした保持部に縦筋を保持させてから、締付部を構成するナットを締め付けることによって、縦筋を強い力で保持できる。しかも、このときの保持力はナットの締付力に依存するので、例えば、スパナ等の工具を使えば、誰もが簡単に強い保持力を発揮させることができる。したがって、作業者の技量によって、保持力が弱くなったりしない。
【００１８】
第５の発明の補強用鉄筋の止め具によれば、縦筋の下端を受け片で受けるので、たとえ、縦筋が掛止め部材の保持部から抜けるような状況になっても、当該縦筋が落下したりしない。
【図面の簡単な説明】
【００１９】
【図１】図１は第１実施形態の斜視図である。
【図２】図２はこの発明の止め具を既存の建造物に固定した状態において一部を断面にした平面図である。
【図３】図３はこの発明の一対の止め具を既存の建造物に固定した状態において一部を断面にした平面図である。
【図４】図４は第２実施形態の斜視図である。
【図５】図５は第３実施形態を示すもので、この発明の止め具を既存の建造物に固定した状態において一部を断面にした平面図である。
【図６】図６は第４実施形態を示すもので、この発明の止め具を既存の建造物に固定した状態において一部を断面にした平面図である。
【図７】図７は第５実施形態の斜視図である。
【図８】図８は第６実施形態の斜視図である。
【発明を実施するための形態】
【００２０】
図１〜図３に示した第１実施形態は、本体ａは、固定片１とこの固定片１の両側に設けた平行な一対の支持片２とからなり、これら固定片１及び一対の支持片２で平面コ字状の本体ａを構成している。
なお、図中符号ａ１は平面四角形の補強片で、上記固定片１及び一対の支持片２間にあって本体ａを補強するものである。ただし、この補強片ａ１は、当該本体ａが十分な強度を維持できていれば、不要とされるものである。
また、上記固定片１には、図２に示すように、この発明の止め部材である固定アンカー３をさし通す一対の取付け孔４を形成している。
【００２１】
さらに、上記一対の支持片２のそれぞれには、一対の通し孔５を形成するとともに、この一対の通し孔５には、Ｕ字状ボルトからなる掛止め部材ｆの両端をさし通すようにしている。
上記掛止め部材ｆは、保持部６と締付部７とからなる。そして、上記掛止め部材ｆのＵ字状の円弧の部分を上記保持部６としている。また、締付部７は、Ｕ字状の保持部６に連続する両端部分に形成したネジ７ａとこのネジ７ａにはめ付けるナット７ｂとで構成される。
【００２２】
上記のようにした掛止め部材ｆは、その締付部７を構成する一対のネジ７ａを、支持片２の外側から、上記一対の通し孔５にさし通すとともに、通し孔５から支持片２の内側に突出したネジ７ａにナット７ｂをはめ付けるようにしている。
したがって、上記保持部６に補強用の縦筋８をさし通した状態で、ナット７ｂを締め付ければ、この縦筋８は、保持部６と支持片２との間に挟持されることになる。
【００２３】
上記のようにした発明の補強用鉄筋の止め具は、図２、図３に示す既存の建造物、例えば柱９を補強する場合に用いられる。つまり、既存の柱９を補強するときには、その周囲を補強用鋼板１０で囲うとともに、その補強用鋼板１０と柱９との間に形成された間隔にグラウト材１１を充填する。そして、上記間隔に補強用の縦筋８をあらかじめ配置し、上記グラウト材１１を充填したときに、補強用の縦筋８がグラウト材１１中に埋設されるようにしている。
【００２４】
上記既存の柱９の補強方法において、この第１実施形態の掛止め部材ｆを用いるときには、上記補強用の縦筋８を配置すべき位置をあらかじめ特定するとともに、この特定された縦筋８を基準にして、既存の柱９に対する本体ａの位置を特定する。
【００２５】
既存の柱９に対する本体ａの位置を特定できたら、図２に示すように、本体ａの取付け孔４に相当する柱９の位置に孔１２をあけるとともに、この孔１２に樹脂製の接着剤１３を充填する。そして、接着剤１３を充填した孔１２内に、本体ａの取付け孔４を貫通させた固定アンカー３を圧入する。なお、この固定アンカー３の周囲には抜け止め用の溝を多数形成している。したがって、これら溝に接着剤１３が食い込んで、固定アンカー３が抜けるのを防止する。
【００２６】
上記のように固定アンカー３を、接着剤１３を充填した孔１２に打ち込むことによって、本体ａは柱９にしっかりと固定される。なお、図３は、柱９の幅分に一対の本体ａを取り付けた例を示しているが、これは、柱９に４本の縦筋８を沿わせることを目的にしたものである。したがって、当該補強対象物によって、縦筋８の本数が相違してくるが、その本数に応じて１つの柱９に対して複数の本体ａを固定しなければならない。
【００２７】
上記のようにして本体ａを既存の柱９に固定したら、この本体ａの支持片２の外側に補強用の縦筋８を沿わせるとともに、その縦筋８を挟んで支持片２とは反対側から掛止め部材ｆの締付部７を構成するネジ７ａを通し孔５にさし通す。そして、通し孔５から本体ａの内側に突出したネジ７ａにナット７ｂをはめて締め付ける。このようにナット７ｂを締め付けることによって、縦筋８は保持部６と支持片２との間に保持される。このときの保持力は、ナット７ｂの締付力に比例するが、このナット７ｂはスパナ等を使って、誰もがきつく締め付けることができる。
【００２８】
なお、上記補強用鉄筋の止め具は、柱９の長手方向において所定の間隔を保持して複数固定するが、その間隔すなわち補強用鉄筋の止め具の必要個数は、補強用の縦筋８の長さや太さ等に応じた重量で決まることになる。縦筋８が重ければ、その個数も多くなり、軽ければ少なくなる。
【００２９】
上記のように補強用の縦筋８を、当該補強用鉄筋の止め具に保持させたら、その状態で、補強用鋼板１０で柱９の周囲を囲むとともに、この補強用鋼板１０と柱９との間に形成された間隔にグラウト材１１を充填する。したがって、上記補強用鉄筋の止め具は、補強用の縦筋８とともにグラウト材１１の中に埋め込められたままになる。
【００３０】
図４に示した第２実施形態は、一対の支持片２の外側に、支持片２と直角にした一対の受け片１４を設けたもので、その他は、上記第１実施形態と同じである。したがって、第１実施形態と同一構成要素について同一符号を用いるとともに、その詳細な説明を省略する。
【００３１】
上記のようにした第２実施形態の補強用鉄筋の止め具は、補強用の縦筋８の最下端に対応する位置に設けるもので、当該補強用の縦筋８の下端を上記受け片１４に載せて、当該補強用の縦筋８を掛止め部材ｆで保持する。
このようにした補強用の縦筋８は、受け片１４に載せられるので、掛止め部材ｆで保持されている限り、その保持力が多少弱くても縦筋８が落下することはほとんどなく、その安全性が飛躍的に向上する。
【００３２】
図５に示した第３実施形態の本体ａは、固定片１５の長さを十分に長くし、その一部を支持片としても機能させるとともに、この固定片１５の一端に、固定片１５に対して直角にした支持片１６を設けたものである。
そして、上記固定片１５は、取付け孔に貫通させた固定アンカー１７を用いて既存の柱９に固定されるが、固定アンカー１７の固定方法は、第１実施形態と同様である。
【００３３】
さらに、上記固定片１５のうちの支持片として機能する部分、及び支持片１６のそれぞれには、第１実施形態と同様の掛止め部材ｆを設けている。そして、固定片１５のうち支持片として機能する部分に設けた掛止め部材ｆ及び支持片１６に設けた掛止め部材ｆのそれぞれは、柱９の角を構成する面側に位置するようにしている。
【００３４】
なお、この第３実施形態では、１本の固定アンカー１７で本体ａを止めているが、必要に応じて何本の固定アンカー１７を用いてもよい。
また、この第３実施形態も、既存の柱９を補強するときには、その周囲を補強用鋼板１０で囲うとともに、その補強用鋼板１０と柱９との間に形成された間隔にグラウト材１１を充填する。そして、上記間隔に補強用の縦筋８をあらかじめ配置し、上記グラウト材１１を充填したときに、補強用の縦筋８がグラウト材１１中に埋設される。
【００３５】
このようにした第３実施形態の補強用鉄筋の止め具によれば、１つの本体ａを柱９の角に固定することによって、この柱９の角の両側に、２つの掛止め部材ｆを位置させることができる。したがって、この第３実施形態は、柱９の角を構成する両面に沿って補強用の縦筋８を設ける場合に適している。
【００３６】
図６に示した第４実施形態は、柱９の前面のみを補強用鋼板１０で囲うタイプの補強に用いる補強用鉄筋の止め具に関するもので、その本体ａは、１つの固定片１８と１つの支持片１９とを備え、上記固定片１８を柱の角の部分に固定アンカー２０で固定するようにしている。なお、固定アンカー２０の固定方法は第１実施形態と同じである。
【００３７】
また、上記支持片１９には、第１実施形態と同様の掛止め部材ｆを２組設け、これら掛止め部材ｆで補強用の縦筋８を保持するようにしている。
そして、図６に示すように、一対の本体ａを既存の柱９の前面に固定するとともに、本体ａに設けたそれぞれの掛止め部材ｆに補強用の縦筋８を保持させる。
さらに、既存の柱９の前面を補強用鋼板１０で囲うとともに、この補強用鋼板１０と柱９との間にグラウト材１１を充填する。
【００３８】
図７に示した第５実施形態は、第１実施形態の本体ａを真半分にしたもので、固定片２１に支持片２２を設けている。そして、固定片２１には一対の取付け孔２３を形成し、この取付け孔２３に第１実施形態と同様の固定アンカー３を通して既存の柱９に固定するようにしている。
また、上記支持片２２には第１実施形態と同様の掛止め部材ｆを設けている。
上記のようにした第５実施形態の補強用鉄筋の止め具は、補強用の縦筋８を１本単位で保持することができる。
【００３９】
図８に示した第６実施形態は、第１実施形態の本体に対してさらに本体を連接して、その本体ａを直角にしたものである。
その他の構成は、第１実施形態と同様である。
この第６実施形態からも明らかなように、この発明の補強用鉄筋の止め具は、本体ａに設けた固定片を既存の柱９や梁等に固定し、その固定した本体ａに設けた掛止め部材ｆで補強用の縦筋８を保持できれば、本体自体の形態はどのようなものであってもよい。
【００４０】
また、上記各実施形態では、掛止め部材ｆの保持部をＵ字状にしたが、これら掛止め部材ｆの保持部は、鉤状であって補強用の縦筋８を保持できれば、その形態を問わない。例えばフックを保持部とし、そのフックに連続する部分を締付部としてもよい。
さらに、この発明の補強用鉄筋の止め具を用いる建造物には、建物や橋梁等、補強対象となりうるものであれば、どのようなものも含まれる。
【産業上の利用可能性】
【００４１】
既存の柱等を補強用鋼板で囲う建造物の補強に用いるのに最適である。
【符号の説明】
【００４２】
ａ                  本体
１，１５，１８，２１  固定片
２，１６，１９，２２  支持片
３，１７，２０        固定アンカー
ｆ                  掛止め部材
６                  保持部
７                  締付部
７ａ                ネジ
７ｂ                ナット
１４                受け片
【図１】
2015161137.tif 000003
【図２】
2015161137.tif 000004
【図３】
2015161137.tif 000005
【図４】
2015161137.tif 000006
【図５】
2015161137.tif 000007
【図６】
2015161137.tif 000008
【図７】
2015161137.tif 000009
【図８】
2015161137.tif 000010